(57)【要約】【課題】作業者の体から接近した状態で、底部の釣合おもり枠にスペーサを取付けることができ、安定した姿勢でスペーサを釣合おもり枠に取付けることができるエレベータの釣合おもりを得る。【解決手段】この発明に係るエレベータの釣合おもりは、底部の釣合おもり枠２０に設けられ緩衝器３との間隔調整に用いられるスペーサ２を有するエレベータの釣合おもり１であって、釣合おもり枠２０に端部を中心に水平方向に回転自在に設けられた取付ベース４と、スペーサ２を取付ベース４に取付ける取付ボルトと、取付ベース４を釣合おもり枠２０に固定する固定ボルトと、を備えている。【選択図】図１
2014037307.tif 000002
【特許請求の範囲】
【請求項１】
底部の釣合おもり枠に設けられ緩衝器との間隔調整に用いられるスペーサを有するエレベータの釣合おもりであって、
前記釣合おもり枠に端部を中心に水平方向に回転自在に設けられた取付ベースと、
前記スペーサを前記取付ベースに取付ける取付手段と、
前記取付ベースを前記釣合おもり枠に固定する固定手段と、
を備えたことを特徴とするエレベータの釣合おもり。
【請求項２】
前記スペーサは、前記取付ベースと対向した平板状の台を有しており、
前記取付手段は、前記台を前記取付ベースに取付ける取付ボルトであることを特徴とする請求項１に記載のエレベータの釣合おもり。
【請求項３】
さらに、前記取付ベースに取付けられ、前記台の両端部を係止して前記スペーサを吊下、保持する一対のＬの字状の片部を有する保持部材を備えたことを特徴とする請求項１に記載のエレベータの釣合おもり。
【請求項４】
一対の前記片部は、ハの字状に設けられており、
前記取付手段は、前記片部の端部に設けられ前記片部間に遊挿した前記台を片部に沿った方向に押圧する押圧部材であることを備えたことを特徴とする請求項３に記載のエレベータの釣合おもり。
【請求項５】
前記取付手段は、前記取付ベースに形成され、取付ベースの上側から挿入された前記スペーサを嵌着する嵌着穴であることを特徴とする請求項１に記載のエレベータの釣合おもり。
【発明の詳細な説明】
【技術分野】
【０００１】
この発明は、釣合おもり枠の下部に設けられ緩衝器との間隔調整に用いられるスペーサを有するエレベータの釣合おもりに関する。
【背景技術】
【０００２】
従来、釣合おもりと緩衝器との間隔調整のためのスペーサを、縦、横、高さの寸法をそれぞれ異なる構成とし、かつ三方向の取付けを自在にしたエレベータの釣合おもりが知られている（例えば、特許文献１参照）。
【先行技術文献】
【特許文献】
【０００３】
【特許文献１】実開平２-１３５５８７号公報
【発明の概要】
【発明が解決しようとする課題】
【０００４】
上記構成のエレベータの釣合おもりは、スペーサが釣合おもりの底部に設けられており、底部にスペーサを取り付ける際に、釣合おもりの直下に配置された緩衝器が邪魔となり、作業者の体から離れた位置で装着する必要があり、不安定な姿勢での作業となり、作業性が悪いという問題点があった。
【０００５】
この発明は、作業者の体から接近した状態で、底部の釣合おもり枠にスペーサを取付けることができ、安定した姿勢でスペーサを釣合おもり枠に取付けることができ、スペーサの取付作業性が向上したエレベータの釣合おもりを得ることを目的とする。
【課題を解決するための手段】
【０００６】
この発明に係るエレベータの釣合おもりは、底部の釣合おもり枠に設けられ緩衝器との間隔調整に用いられるスペーサを有するエレベータの釣合おもりであって、
前記釣合おもり枠に端部を中心に水平方向に回転自在に設けられた取付ベースと、
前記スペーサを前記取付ベースに取付ける取付手段と、
前記取付ベースを前記釣合おもり枠に固定する固定手段と、
を備えたものである。
【発明の効果】
【０００７】
この発明に係るエレベータの釣合おもりによれば、取付ベースを端部を中心に水平方向に回転させて、取付ベースを作業者の体に接近させることで、スペーサを底部の釣合おもり枠に安定した姿勢で取付けることができ、スペーサの取付作業性が向上する。
【図面の簡単な説明】
【０００８】
【図１】この発明の実施の形態１のエレベータの釣合おもりのスペーサを釣合おもり枠に取付ける作業状況を示す図である。
【図２】図１の釣合おもり枠を示す斜視図である。
【図３】図２の釣合おもり枠にスペーサを取付ける途中を示す斜視図である。
【図４】図２の釣合おもり枠にスペーサが取付けられたときを示す斜視図である。
【図５】釣合おもり枠にスペーサを取付ける従来の作業状況を示す図である。
【図６】この発明の実施の形態２のエレベータの釣合おもりの要部を示す分解斜視図である。
【図７】図６のエレベータの釣合おもりの要部を示す斜視図である。
【図８】この発明の実施の形態３のエレベータの釣合おもりの要部を示す分解斜視図である。
【図９】図８のエレベータの釣合おもりの要部を示す斜視図である。
【図１０】この発明の実施の形態４のエレベータの釣合おもりのスペーサを釣合おもり枠に取付ける作業状況を示す図である。
【図１１】図１０の釣合おもり枠にスペーサを取付ける途中を示す斜視図である。
【図１２】図１０の釣合おもり枠にスペーサを取付ける途中を示す斜視図である。
【図１３】図１０の釣合おもり枠にスペーサが取付けられたときを示す斜視図である。
【発明を実施するための形態】
【０００９】
以下、この発明の各実施の形態について図に基づいて説明するが、各図において、同一または相当部材、部位については、同一符号を付して説明する。
【００１０】
実施の形態１．
図１はこの発明の実施の形態１のエレベータの釣合おもり１（以下、釣合おもりと略称する。）のスペーサ２を釣合おもり１の底部の釣合おもり枠２０に取付ける作業状況を示す図、図２は、釣合おもり枠２０を示す斜視図である。
この釣合おもり１は、釣合おもり枠２０と、この釣合おもり枠２０の端部にピン５を中心に水平方向に回転自在に取付けられた取付ベース４と、この矩形状の取付ベース４を釣合おもり枠２０に固定する固定手段である固定ボルト６と、取付ベース４に取付手段である取付ボルト９により取付けられるスペーサ２と、を備えている。
スペーサ２は、緩衝器３と釣合おもり１との間の間隔調整に用いられるものであって、円柱形状の柱２２と、この柱２２の一端面に固定されているとともに取付ベース４と対向した平板状の第１の台２１と、柱２２の他端面に固定されているとともに緩衝器３と対向した平板状の第２の台２３とから構成されている。
【００１１】
次に、作業者７がスペーサ２を釣合おもり枠２０に取付ける手順について説明する。
先ず、作業者７は、図３に示すように取付ベース４をピン５を中心に矢印Ａの方向に９０度回転させる。
この後、作業者７は、一方の手でスペーサ２を持ちながら、他方の手でスペーサ２を取付ボルト９を用いて取付ベース４に固定する。
次に、作業者７は、ピン５を中心に矢印Ａの方向と反対方向に取付ベース４を回転させた後、取付ベース４を固定ボルト６を用いて釣合おもり枠２０に固定する（図４参照）。
【００１２】
従来では、図５に示すように、スペーサ２を釣合おもり枠２０に取り付ける際に、釣合おもり枠２０の直下に配置された緩衝器３が邪魔となり、作業者７は、体から離れた位置で、片手でスペーサ２を保持しながら、もう片方の手で取付ボルトを用いて釣合おもり枠２０にスペーサ２を取り付ける必要があり、作業性が悪い。
これに対して、この実施の形態１のエレベータの釣合おもり１によれば、スペーサ２を取付ける取付ベース４を、ピン５を中心に水平方向に回転させることで、取付ベース４を作業者７の体に近づけることができ、安定した姿勢でスペーサ２を釣合おもり枠２０に取付けることができ、スペーサ２の取付作業性が向上する。
【００１３】
実施の形態２．
図６はこの発明の実施の形態２の釣合おもり１の要部を示す分解斜視図、図７は釣合おもり１の要部を示す斜視図である。
この実施の形態では、取付ベース４に保持部材８が取付けられている。この保持部材８は、両端部にＬ字形状に屈折した片部２５が形成されている。この一対の片部２５にスペーサ２の第１の台２１が挿入されて取付ベース４にスペーサ２が吊下、保持される。スペーサ２は、取付ボルト９を用いて保持部材８を介して取付ベース４に取付けられている。
【００１４】
この実施の形態では、スペーサ２を釣合おもり枠２０に取付ける際に、スペーサ２の第１の台２１を図６の矢印Ｂの方向に沿って保持部材８の一対の片部２５間に挿入することで、スペーサ２は、保持部材８により吊下、保持される。
この結果、スペーサ２を取付ボルト９を用いて取付ベース４にスペーサ２を取付ける際には、作業者７は、片手でスペーサ２を保持する必要がない。
従って、実施の形態１の釣合おもり１と比較して、スペーサ２を釣合おもり枠２０に両手を用いて取付けることができ、スペーサ２の取付作業性が向上する。
【００１５】
実施の形態３．
図８はこの発明の実施の形態３の釣合おもり１の要部を示す分解斜視図、図９は釣合おもり１の要部を示す斜視図である。
この実施の形態では、取付ベース４に保持部材８Ａが取付けられている。この保持部材８Ａは、両端部にＬ字形状に屈折した片部２５Ａがハの字状に形成されている。この一対の片部２５Ａ間には、スペーサ２Ａの第１の台２１Ａが挿入されて、スペーサ２Ａが取付ベース４に吊下、保持される。各片部２５Ａの片側端部には、押圧部材である板ばね１１が設けられている。
スペーサ２Ａの第１の台２１Ａ及び第２の台２３Ａは、それぞれが同一の台形形状である。
なお、板ばね１１は、片部２５Ａ間に遊挿された第１の台２１Ａを片部２５Ａに沿った方向に押圧することで、片部２５Ａ間に第１の台２１Ａを取付けており、スペーサ２Ａを保持部材８Ａを介して取付ベース４に取付ける取付手段を構成している。
【００１６】
この実施の形態では、スペーサ２Ａを釣合おもり枠２０に取付ける際に、スペーサ２Ａの第１の台２１Ａを図８の矢印Ｃの方向に沿って保持部材８Ａの片部２５Ａに挿入することで、スペーサ２Ａは、保持部材８Ａにより、吊下、保持される。
台形状の第１の台２１Ａは、ハの字状の両片部２５Ａに挿入されており、また幅広側の片部２５Ａの端部に設けられた板ばね１１の片部２５Ａに沿った方向に押圧されて取付けられる。
従って、スペーサ２Ａを取付ベース４に取付けるときに、作業者７は、片手でスペーサ２Ａを保持する必要がないとともに、実施の形態２のときに必要として取付ボルト９によるスペーサ２を取付ベース４に取付ける取付作業も不要となる。
従って、実施の形態１，２の釣合おもり１と比較して、スペーサ２Ａの取付作業性がより向上する。
【００１７】
実施の形態４．
図１０はこの発明の実施の形態４の釣合おもり１のスペーサ２Ｂを釣合おもり枠２０に取付ける作業状況を示す図である。
この実施の形態では、図１１に示すように、釣合おもり枠２０にピン５を中心に９０度回転自在の取付ベース４Ａが設けられている。
この取付ベース４Ａには、取付手段である嵌着穴２４が形成されている。
スペーサ２Ｂは、円柱形状の柱２２と、この柱２２の一端面に固定された第１の台２１Ｂと、柱２２の他端面に固定されているとともに緩衝器３と対向する第２の台２３Ｂとから構成されている。
第１の台２１Ｂは、第２の台２３Ｂよりも面積が大きく、スペーサ２Ｂは、取付ベース４Ａの上から嵌着穴２４に挿入して第１の台２１Ｂを嵌着穴２４に嵌着することで、取付ベース４Ａに取付けられる（図１２参照）。
【００１８】
この実施の形態では、先ず作業者７は、図１０に示すように立った状態で、取付ベース４Ａをピン５を中心に９０度回転させ、体の手前に近づかせる。
この後、スペーサ２Ｂを取付ベース４Ａの上方まで第２の台２３Ｂを下側にして持ち上げ、引き続きスペーサ２Ｂを取付ベース４Ａの上から降下して第２の台２３Ｂを嵌着穴２４を挿入させた後、第１の台２１Ｂを嵌着穴２４に嵌着させ、スペーサ２Ｂを取付ベース４Ａに取付ける。
この後、取付ベース４Ａをピン５を中心に９０度回転させ、図１３に示すように、スペーサ２Ｂを釣合おもり枠２０の直下に配置し、最後に固定ボルト６を用いて取付ベース４Ａを釣合おもり枠２０に固定する。
【００１９】
この実施の形態では、作業者７は、立った状態でスペーサ２Ｂを取付ベース４Ａに取付けることができ、より安定した姿勢でスペーサ２Ｂを釣合おもり枠２０に取付けることができ、またスペーサ２Ｂを取付ベース４Ａの上から嵌着穴２４に挿入することで簡単に取付ベース４Ａに取付けることができる。
従って、実施の形態１〜３の釣合おもり１と比較して、スペーサ２Ｂの取付作業性がさらに向上する。
【００２０】
なお、上記各実施の形態では、取付手段、固定手段として、ボルトを用いたが、ボルト以外のネジ等の締結部品であってもよいのは勿論である。
また、押圧部材として板バネを用いたが、勿論このものに限定されない。
また、取付ベース４，４Ａは、ピン５を中心に釣合おもり枠２０に対して水平方向に回転自在に設けられていたが、取付ベースと釣合おもり枠とが凹凸係合で回転自在であってもよい。
【符号の説明】
【００２１】
１  釣合おもり、２，２Ａ，２Ｂ  スペーサ、３  緩衝器、４，４Ａ  取付ベース、５  ピン、６  固定ボルト（固定手段）、７  作業者、８，８Ａ  保持部材、９  取付ボルト（取付手段）、１１  板バネ（押圧部材、取付手段）、２０  釣合おもり枠、２１，２１Ａ，２１Ｂ  第１の台、２２  柱、２３，２３Ａ，２３Ｂ  第２の台、２４  嵌着穴（取付手段）、２５，２５Ａ  片部。
【図１】
2014037307.tif 000003
【図２】
2014037307.tif 000004
【図３】
2014037307.tif 000005
【図４】
2014037307.tif 000006
【図５】
2014037307.tif 000007
【図６】
2014037307.tif 000008
【図７】
2014037307.tif 000009
【図８】
2014037307.tif 000010
【図９】
2014037307.tif 000011
【図１０】
2014037307.tif 000012
【図１１】
2014037307.tif 000013
【図１２】
2014037307.tif 000014
【図１３】
2014037307.tif 000015